(57)【要約】【課題】所定の認証を行わないと映像再生ができない映像情報再生装置を得る。【解決手段】映像情報格納媒体に格納された映像情報を再生する映像情報再生部１３と、第１認証情報を格納した記憶部１６と、映像情報再生部１３の動作を制御する制御部１５と、を備え、映像情報再生部１３は、所定の認証情報格納媒体に格納された第２認証情報を読み取り、制御部１５は、第１認証情報と第２認証情報が合致した場合に限り、映像情報再生部１３が映像情報を再生することを許可する。【選択図】図２
2009118078.tif 000002
【特許請求の範囲】
【請求項１】
映像情報格納媒体に格納された映像情報を再生する映像情報再生部と、
第１認証情報を格納した記憶部と、
前記映像情報再生部の動作を制御する制御部と、
を備え、
前記映像情報再生部は、
所定の認証情報格納媒体に格納された第２認証情報を読み取り、
前記制御部は、
前記第１認証情報と前記第２認証情報が合致した場合に限り、
前記映像情報再生部が映像情報を再生することを許可する
ことを特徴とする映像情報再生装置。
【請求項２】
前記制御部は、
前記映像情報再生部が映像情報を再生することを許可した後、
前記映像情報再生部から映像情報格納媒体が取り出されたことを検知すると、
前記映像情報再生部が映像情報を再生することを禁止する
ことを特徴とする請求項１に記載の映像情報再生装置。
【請求項３】
前記制御部は、
前記第１認証情報と前記第２認証情報が合致したことを確認した後は、
前記映像情報再生部が映像情報を再生することを常時許可する
ことを特徴とする請求項１に記載の映像情報再生装置。
【請求項４】
前記制御部は、
前記第１認証情報と前記第２認証情報が合致したことを確認した後、
前記第１認証情報を書き換え、
以後は、
書き換え後の前記第１認証情報と前記第２認証情報が合致した場合に限り、
前記映像情報再生部が映像情報を再生することを許可する
ことを特徴とする請求項１ないし請求項３のいずれかに記載の映像情報再生装置。
【請求項５】
請求項１ないし請求項４のいずれかに記載の映像情報再生装置と、
前記映像情報に基づき画像を表示する画像表示部と、
を備えたことを特徴とする画像表示装置。
【請求項６】
請求項１ないし請求項４のいずれかに記載の映像情報再生装置と、
前記映像情報に基づき映像を投射する投射部と、
を備えたことを特徴とするプロジェクタ。
【請求項７】
第１認証情報を格納した記憶手段を備えた映像情報再生装置の映像再生動作を制御する方法であって、
所定の認証情報格納媒体に格納された第２認証情報を読み取るステップと、
前記記憶手段から前記第１認証情報を読み取るステップと、
前記第１認証情報と前記第２認証情報が合致するか否かを判断するステップと、
を有し、
前記第１認証情報と前記第２認証情報が合致した場合に限り、
当該映像情報再生装置が映像情報を再生することを許可する
ことを特徴とする映像情報再生装置の制御方法。
【発明の詳細な説明】
【技術分野】
【０００１】
本発明は、映像情報を再生する装置、その装置を備えた画像表示装置およびプロジェクタ、並びに映像情報再生装置の制御方法に関するものである。
【背景技術】
【０００２】
従来、プロジェクタに関し、特許文献１に、「スクリーン等に投写された投写形状の形状歪を簡単に補正することができるプロジェクタを提供する」ことを目的とした技術として「台部４の一部としてＤＶＤ再生部３の上方に連結部５０が配設されている。連結部５０の上方には凹状の球面体４ａが設けられ、投射部２の下方に設けられている凸状の球面体２ａと係合して、Ｘ軸−Ｙ軸面内において、投射部２が台部４に対して傾動可能に構成されている。同図は、ＤＶＤ再生部３と連結部５０からなる台部４に対して、投射部２が傾動して下ケース１０の当たり部１０ｂが連結部５０の穴部５０ａに当接した状態を示す。このように、台部４に対して投射部２は、穴部５０ａと当たり部１０ｂが当接するまでの範囲の中を任意に傾動することができ、前記範囲の中の任意の箇所で台部４に対して投射部２はＺ軸の回りを回転することができるようになっている。」というものが提案されている（要約）。
【０００３】
【特許文献１】特開２００５−９９６１７号公報
【発明の開示】
【発明が解決しようとする課題】
【０００４】
上記特許文献１に記載のような従来のプロジェクタでは、例えば学校などの公的施設で用いる場合、外部から持ち込まれたＤＶＤ（Ｄｉｇｉｔａｌ  Ｖｅｒｓａｔｉｌｅ  Ｄｉｓｋ）を無許可で再生されると困る場合がある。
本発明は、上記のような課題を解決するためになされたものであり、所定の認証を行わないと映像再生ができない映像情報再生装置を得ることを目的とする。
【課題を解決するための手段】
【０００５】
本発明に係る映像情報再生装置は、映像情報格納媒体に格納された映像情報を再生する映像情報再生部と、第１認証情報を格納した記憶部と、前記映像情報再生部の動作を制御する制御部と、を備え、前記映像情報再生部は、所定の認証情報格納媒体に格納された第２認証情報を読み取り、前記制御部は、前記第１認証情報と前記第２認証情報が合致した場合に限り、前記映像情報再生部が映像情報を再生することを許可する。
そのため、認証情報格納媒体を用いて認証しない限り、映像情報を再生することができないので、無許可で任意の映像情報格納媒体を再生されるようなことがなくなり、当該映像情報再生装置の使用を適切に管理することができる。
【０００６】
また、本発明に係る映像情報再生装置において、前記制御部は、前記映像情報再生部が映像情報を再生することを許可した後、前記映像情報再生部から映像情報格納媒体が取り出されたことを検知すると、前記映像情報再生部が映像情報を再生することを禁止する。
そのため、映像情報格納媒体に格納された映像情報を再生する毎に、認証情報格納媒体を用いて認証することが求められるので、当該映像情報再生装置の使用管理を厳密に行うことができる。
【０００７】
また、本発明に係る映像情報再生装置において、前記制御部は、前記第１認証情報と前記第２認証情報が合致したことを確認した後は、前記映像情報再生部が映像情報を再生することを常時許可する。
そのため、例えば映像情報再生装置の使用を簡易に管理すれば十分であるような環境下において、管理者の負担を最小限に抑えることができる。
【０００８】
また、本発明に係る映像情報再生装置において、前記制御部は、前記第１認証情報と前記第２認証情報が合致したことを確認した後、前記第１認証情報を書き換え、以後は、書き換え後の前記第１認証情報と前記第２認証情報が合致した場合に限り、前記映像情報再生部が映像情報を再生することを許可する。
そのため、記憶部に格納されている第１認証情報を更新することができるので、例えば定期的に第１認証情報を更新するなどにより、映像情報再生装置の使用に際しての認証を強固にすることができる。
【０００９】
また、本発明に係る画像表示装置は、上記のいずれかに記載の映像情報再生装置と、前記映像情報に基づき画像を表示する画像表示部と、を備えている。
そのため、上記に記載の映像情報再生装置と同様に、映像情報を再生するに際して認証を行うことができ、上記の映像情報再生装置と同様の効果を発揮することができる。
【００１０】
また、本発明に係るプロジェクタは、上記のいずれかに記載の映像情報再生装置と、前記映像情報に基づき映像を投射する投射部と、を備えている。
そのため、上記に記載の映像情報再生装置と同様に、映像情報を再生するに際して認証を行うことができ、上記の映像情報再生装置と同様の効果を発揮することができる。
【００１１】
また、本発明に係る映像情報再生装置の制御方法は、第１認証情報を格納した記憶手段を備えた映像情報再生装置の映像再生動作を制御する方法であって、所定の認証情報格納媒体に格納された第２認証情報を読み取るステップと、前記記憶手段から前記第１認証情報を読み取るステップと、前記第１認証情報と前記第２認証情報が合致するか否かを判断するステップと、を有し、前記第１認証情報と前記第２認証情報が合致した場合に限り、当該映像情報再生装置が映像情報を再生することを許可する。
そのため、認証情報格納媒体を用いて認証しない限り、映像情報を再生することができないように、映像情報再生装置の映像再生動作を制御することができる。
これにより、無許可で任意の映像情報格納媒体を再生されるようなことがなくなり、当該映像情報再生装置の使用を適切に管理することができる。
【発明を実施するための最良の形態】
【００１２】
実施の形態１．
図１は、本発明の実施の形態１に係る映像情報再生装置１０の機能ブロック図である。
映像情報再生装置１０は、ＤＶＤを再生するための装置である。映像情報再生装置１０は、再生する映像をディスプレイ２０に出力し、ユーザはディスプレイ２０で再生映像を視聴する。
映像情報再生装置１０は、操作パネル１１、操作信号処理部１２、ＤＶＤ再生部１３、映像信号処理部１４、制御部１５、記憶部１６を備える。
【００１３】
操作パネル１１は、映像情報再生装置１０の本体筐体の外面に設けられ、ユーザの操作情報を受け付けるためのものである。
ユーザが操作パネル１１に配置されたキーを押下等すると、それに対応した操作信号が操作信号処理部１２に出力される。
操作信号処理部１２は、操作パネル１１が出力した操作信号を受け取り、デジタル信号に変換するなどの処理を施して、制御部１５に出力する。
【００１４】
ＤＶＤ再生部１３は、ＤＶＤをセットするトレーや光学ヘッドなどを適宜備え、ＤＶＤに格納されている映像情報を読み取って、映像信号として再生する。再生された映像信号は、映像信号処理部１４に出力される。
特許請求の範囲における「映像情報再生部」は、本実施の形態１ではＤＶＤ再生部１３がこれに相当し、「映像情報格納媒体」は、ＤＶＤがこれに相当する。実施の形態２〜７においても同様である。
【００１５】
映像信号処理部１４は、ＤＶＤ再生部１３から受け取った映像信号と制御部１５の指示に基づいてデジタルの出力映像信号を生成し、ディスプレイ２０に出力する。
映像信号処理部１４は、マイクロプロセッサ等により構成され、内蔵したプログラムを実行することにより、上記の処理を行う。
映像信号処理部１４とディスプレイ２０は、適当な映像信号ケーブルなどにより接続される。
【００１６】
制御部１５は、ＤＶＤ再生部１３および映像信号処理部１４の動作を制御する。
また、記憶部１６に格納されている後述の暗号化された認証パスワードを読み取り、ＤＶＤ再生部１３がＤＶＤを再生する際に、所定の動作制限を行う。
制御部１５は、その機能を実現する回路デバイスのようなハードウェアで構成することもできるし、マイコンやＣＰＵのような演算装置とその動作を規定する制御プログラムで構成することもできる。
【００１７】
記憶部１６は、後述する認証パスワードを暗号化したものを格納している。暗号化キーは、映像情報再生装置１０に固有の秘密鍵である。
記憶部１６は、ＨＤＤ（Ｈａｒｄ  Ｄｉｓｋ  Ｄｒｉｖｅ）やフラッシュＲＯＭ（Ｒｅａｄ  Ｏｎｌｙ  Ｍｅｍｏｒｙ）のような書き込み可能な記憶装置で構成することができる。
【００１８】
以上、図１の各機能ブロックについて説明した。
次に、本発明の背景として、映像情報再生装置１０のＤＶＤ再生動作を制限する必要がある場合について説明する。
【００１９】
ＤＶＤを再生する映像情報再生装置１０は、家庭で個人的に用いられる他、学校や公民館などの公的施設において貸し出される場合もある。
公的施設で映像情報再生装置１０を使用する場合、その使用目的も、公序良俗に反しないものであることが想定されているのが通常であると考えられる。そのため、ユーザが外部から任意のＤＶＤを持ち込んで公的施設内で再生するのは、好ましくない場合があり得る。
また、家庭内で映像情報再生装置１０を使用する場合でも、同様に再生するＤＶＤを制限したい場合もある。
【００２０】
上記のような場合の対策として、映像情報再生装置１０を使用する際にパスワードの入力を求める手法や、映像情報再生装置１０の電源をＯＮした時に所定のキー操作によって認証を行う手法などが考えられる。
しかし、パスワードやキー操作は、一旦覚えられてしまうと以後は自由に映像情報再生装置１０を使用することができるため、十分な対策とならない可能性がある。また、頻繁にパスワード等を変更するとなると、管理者の負担が増大してしまう。
【００２１】
そこで、本実施の形態１では、所定の認証用ディスクに認証情報を格納しておき、これをＤＶＤ再生部１３にセットして読み込ませないと、ＤＶＤを再生することができないようにするものである。
この手法によれば、映像情報再生装置１０を使用する際には必ず認証用ディスクを読み込ませる必要があるため、認証用ディスクを適切に管理している限り、無許可で任意のＤＶＤを再生されるということがなくなる。
また、パスワードの変更のような手間が不要であり、管理者の負担も軽減される。
【００２２】
以上、映像情報再生装置１０のＤＶＤ再生動作を制限する必要がある場合について説明した。
次に、認証用ディスクを用いてＤＶＤ再生動作を制限する具体的な手順について説明する。
【００２３】
図２は、認証用ディスクと記憶部１６それぞれに格納されている情報の１例である。
認証用ディスクは、ＤＶＤ再生部１３で読み取り可能な形式でフォーマットされた情報記憶媒体であり、映像情報再生装置１０がＤＶＤを再生することを許可するために必要なパスワードが格納されている。
ＤＶＤ再生部１３に認証用ディスクがセットされると、ＤＶＤ再生部１３はそのパスワードを読み取り、制御部１５はそのパスワードを取得する。
【００２４】
また、記憶部１６は、映像情報再生装置１０がＤＶＤを再生することを許可するために必要なパスワードを暗号化したものと、現在映像情報再生装置１０がＤＶＤを再生することを許可されているか否かを表す再生可能フラグと、を格納している。
再生可能フラグは、ＯＮであれば映像情報再生装置１０がＤＶＤを再生することを許可されていることを表し、ＯＦＦであれば許可されていないことを表す。
制御部１５は、記憶部１６が格納している暗号化されたパスワードを読み取り、ＤＶＤ再生部１３が認証用ディスクから読み取ったパスワードと合致判定を行う。
【００２５】
なお、制御部１５は、合致判定を行う際、記憶部１６に格納されている暗号化されたパスワードを所定の秘密鍵で復号し、復号後のパスワードが一致するか否かにより合致判定を行う。
認証用ディスクは、例えば映像情報再生装置１０の製造時等に、記憶部１６に格納する暗号化されたパスワードに合わせて作成しておく。
【００２６】
特許請求の範囲における「認証情報格納媒体」は、本実施の形態１では認証用ディスクがこれに相当し、「第１認証情報」は、記憶部１６が格納している暗号化されたパスワードがこれに相当し、「第２認証情報」は、認証用ディスクに格納されているパスワードがこれに相当する。実施の形態２〜７でも同様である。
【００２７】
図３は、認証用ディスクを用いて、映像情報再生装置１０がＤＶＤを再生することを許可する際の処理フロー例である。以下、図３の各ステップについて説明する。
【００２８】
（Ｓ３０１）
ユーザは、映像情報再生装置１０の電源をＯＮする。
制御部１５は、所定の初期化処理を実行する。
（Ｓ３０２）
制御部１５は、記憶部１６が格納している再生可能フラグを、ＯＦＦに設定する。
（Ｓ３０３）
制御部１５は、ＤＶＤ再生部１３にディスクがセットされているか否かを確認する。
セットされていればステップＳ３０４へ進み、セットされていなければステップＳ３０８へ進む。
（Ｓ３０４）
制御部１５は、ＤＶＤ再生部１３にセットされているディスクが認証用ディスクであるか否かを確認する。
認証用ディスクであればステップＳ３０５へ進み、認証用ディスクでなければステップＳ３０８へ進む。
【００２９】
（Ｓ３０５）
ＤＶＤ再生部１３は、認証用ディスクに格納されているパスワードを読み取る。
制御部１５は、記憶部１６に格納されている暗号化されたパスワードを読み取り、所定の秘密鍵で復号する。
次に、制御部１５は、認証用ディスクに格納されているパスワードと、記憶部１６より取得した復号後のパスワードとが一致するか否かを判定する。
一致すればステップＳ３０６へ進み、一致しなければステップＳ３０８へ進む。
【００３０】
（Ｓ３０６）
制御部１５は、記憶部１６に格納されている再生可能フラグをＯＮにセットする。
（Ｓ３０７）
制御部１５は、ＤＶＤ再生部１３にセットされている認証用ディスクが取り出されたか否かを判定する。
取り出されていなければ本ステップの処理を継続し、取り出されていれば本処理フローを終了する。
（Ｓ３０８）
制御部１５は、ＤＶＤを再生することができない旨の映像信号を出力するよう、映像信号処理部１４に指示する。映像信号処理部１４は、その旨の映像信号を出力する。
このとき、認証用ディスクをセットするよう求めるメッセージを併せて表示するようにしてもよい。
【００３１】
図４は、映像情報再生装置１０がＤＶＤを再生する際の処理フロー例である。以下、図４の各ステップについて説明する。
【００３２】
（Ｓ４０１）
ＤＶＤ再生部１３にディスクがセットされると、本処理フローがスタートする。
（Ｓ４０２）
制御部１５は、ＤＶＤ再生部１３にセットされているディスクがＤＶＤであるか否かを判定する。ＤＶＤであればステップＳ４０３へ進み、ＤＶＤでなければ図３のステップＳ３０４へ進む。
（Ｓ４０３）
制御部１５は、記憶部１６に格納されている再生可能フラグがＯＮであるか否かを確認する。ＯＮであればステップＳ４０４へ進み、ＯＮでなければステップＳ４０７へ進む。
（Ｓ４０４）
制御部１５は、ＤＶＤを再生するようＤＶＤ再生部１３に指示を出す。
ＤＶＤ再生部１３は、ＤＶＤに格納されている映像情報を再生して映像信号を出力し、映像信号処理部１４はその映像信号を処理してディスプレイ２０に出力する。
【００３３】
（Ｓ４０５）
制御部１５は、ＤＶＤ再生部１３にセットされているＤＶＤが取り出されたか否かを判定する。取り出されていなければ本ステップの処理を継続し、取り出されていればステップＳ４０６へ進む。
（Ｓ４０６）
制御部１５は、記憶部１６に格納されている再生可能フラグをＯＦＦにする。
（Ｓ４０７）
制御部１５は、ＤＶＤを再生することができない旨の映像信号を出力するよう、映像信号処理部１４に指示する。映像信号処理部１４は、その旨の映像信号を出力する。
このとき、認証用ディスクをセットするよう求めるメッセージを併せて表示するようにしてもよい。
【００３４】
以上、図３〜図４を用いて、認証用ディスクを用いたＤＶＤ再生許可の手順と、ＤＶＤがセットされた際の再生処理について説明した。
【００３５】
以上のように、本実施の形態１によれば、制御部１５は、認証用ディスクに格納されたパスワードと記憶部１６に格納されたパスワードが合致した場合に限り、ＤＶＤ再生部１３がＤＶＤを再生することを許可する。
即ち、映像情報再生装置１０は、認証用ディスクがセットされない限りＤＶＤを再生することができないため、認証用ディスクを管理者が適切に管理することにより、無断で任意のＤＶＤを再生されるようなことがなくなる。
【００３６】
また、本実施の形態１によれば、制御部１５は、認証用ディスクを用いてＤＶＤ再生部１３がＤＶＤ再生をすることを許可した後、ＤＶＤがＤＶＤ再生部１３から取り出される際に、図４のステップ４０６にて再生可能フラグを再度ＯＦＦにセットし、ＤＶＤの再生を再度禁止する。
これにより、ＤＶＤ再生部１３がＤＶＤを再生する毎に認証用ディスクによる認証が求められるので、映像情報再生装置１０を用いてＤＶＤを再生する際には、常に認証用ディスクの管理者に許可を求める必要があり、映像情報再生装置１０の管理を厳密に行うことができる。
例えば、公的施設において映像情報再生装置１０を貸し出すような場合には、管理者がその使用を管理する必要があるため、本実施の形態１のように厳密な管理を行うことができる手法が好ましい。
【００３７】
また、本実施の形態１によれば、パスワードの入力や所定のキー操作による認証ではなく、認証用ディスクという物理的な媒体を用いて認証を行うので、認証用ディスクを適切に管理している限り、パスワードが破られて映像情報再生装置１０を無許可で任意に使用されるということがない。
【００３８】
また、認証用ディスクを用いて認証する場合、ＤＶＤを再生する前に認証用ディスクをＤＶＤ再生部１３から取り出さなければならないので、認証用ディスクをＤＶＤ再生部１３の中に置き忘れることを防止できる。
【００３９】
また、映像情報再生装置１０がネットワークに接続されている場合、コンピュータウイルスやワームに感染したＤＶＤをセットして、ネットワークに被害が及ぶ可能性がある。
この場合、認証用ディスクを用いて認証を行う際に、再生しようとしているＤＶＤが不審なものであれば認証用ディスクを渡さないようにする。
このような運用上の対応により、ネットワークセキュリティの観点からも、好ましい効果を発揮することができる。
【００４０】
実施の形態２．
実施の形態１では、ＤＶＤを再生する毎に認証用ディスクによる認証を求める構成と動作例を説明したが、映像情報再生装置１０の使用環境によっては、初回使用時のみ認証用ディスクで認証を行えば十分である場合も考えられる。
そこで、本発明の実施の形態２では、一度認証用ディスクを用いて認証を行った後はＤＶＤの再生を常時許可する動作例を説明する。
なお、映像情報再生装置１０の機能ブロック図は、実施の形態１で説明した図１と同様であるため、説明を省略する。
【００４１】
図５は、本実施の形態２に係る映像情報再生装置１０がＤＶＤを再生する際の処理フロー例である。以下、図５の各ステップについて説明する。
なお、認証用ディスクを用いて、映像情報再生装置１０がＤＶＤを再生することを許可する際の処理フローは、実施の形態１で説明した図３と同様であるため、本実施の形態２では説明を省略する。
【００４２】
（Ｓ５０１）〜（Ｓ５０５）
これらの処理は、原則として図４のステップＳ４０１〜Ｓ４０４、およびＳ４０７と同様である。
ただし、図４の処理フローでは、制御部１５は、ＤＶＤが取り出される際に記憶部１６に格納されている再生可能フラグをＯＦＦにセットしているが、本実施の形態２ではこれらの処理は省略する。
そのため、認証用ディスクで認証してＤＶＤを再生することを許可した後は、ＤＶＤの再生は常時許可されることになる。
【００４３】
以上のように、本実施の形態２によれば、一度認証用ディスクでＤＶＤの再生を許可した後は、ＤＶＤの再生を常時許可するので、ＤＶＤを再生する毎に認証用ディスクを用いて認証を行う手間を省略することができる。
そのため、映像情報再生装置１０の使用を簡易に管理すればよい程度の環境下においては、管理者の負担を最小限に抑えることができる。
【００４４】
実施の形態３．
以上の実施の形態１〜２では、認証用ディスクに格納されているパスワード、および記憶部１６に格納されている暗号化されたパスワードは、固定的であるものとして各構成や動作を説明した。
本発明の実施の形態３では、これらの情報を更新することのできる動作例について説明する。
なお、映像情報再生装置１０の機能ブロック図は、実施の形態１で説明した図１と同様であるため、説明を省略する。
【００４５】
本実施の形態３において、パスワードの更新には、下記（１）〜（２）の２種類がある。以下、それぞれについて説明する。
（１）新たなパスワードを格納した認証用ディスクの新規作成
（２）記憶部１６に格納している暗号化されたパスワードの更新
【００４６】
（１）新たなパスワードを格納した認証用ディスクの新規作成
ユーザは、新しい空の認証用ディスクを準備し、例えばＰＣ上のアプリケーションなどを用いて、その空の認証用ディスクに新たなパスワードを格納する。
パスワードを格納するファイル名やパスワード長などのパスワード仕様は、現在の認証用ディスクの仕様に合わせる。
【００４７】
（２）記憶部１６に格納している暗号化されたパスワードの更新
ユーザは、現在の認証用ディスクを用いて認証を行う。その後、新たに作成した第２認証用ディスクをＤＶＤ再生部１３にセットし、記憶部１６に格納されている暗号化されたパスワードを書き換える。
本手続きについては、次の図６で詳細を説明する。
【００４８】
図６は、新たに作成した認証用ディスクを用いて、記憶部１６に格納されている暗号化されたパスワードを書き換える際の処理フロー例である。以下、図６の各ステップについて説明する。
【００４９】
（Ｓ６０１）〜（Ｓ６０８）
実施の形態１の図３で説明したステップＳ３０１〜Ｓ３０８と同様であるため、説明を省略する。
【００５０】
（Ｓ６０９）
ユーザは、新たに作成した第２認証用ディスクを、ＤＶＤ再生部１３にセットする。
制御部１５は、セットされたディスクが第２認証用ディスクであるか否かを判定する。判定方法は、ステップＳ６０４と同様にすればよい。
第２認証用ディスクであればステップＳ６１０に進み、第２認証用ディスクでなければ第２認証用ディスクのセットを促すメッセージを表示するなどしてユーザにディスクのセットを促し、本ステップを継続する。
【００５１】
（Ｓ６１０）
ＤＶＤ再生部１３は、第２認証用ディスクに格納されている新たなパスワードを読み取る。
制御部１５は、ＤＶＤ再生部１３が読み取った新たなパスワードを取得し、所定の秘密鍵で暗号化して、その内容で記憶部１６に格納されている現在の暗号化されたパスワードを書き換える。なお、再生許可フラグの値は、ＯＦＦに初期化する。
【００５２】
各パスワードの更新が完了した後の動作は、実施の形態１〜２で説明したものと同様であるため、説明を省略する。
【００５３】
以上のように、本実施の形態３によれば、認証用ディスクに格納されているパスワードと、記憶部１６に格納されている暗号化されたパスワードとを、新たなものに変更することができる。
これにより、例えばパスワードを定期的に変更するなどして、映像情報再生装置１０の使用に際する認証の強化を図ることができる。
【００５４】
また、本実施の形態３では、記憶部１６に格納されたパスワードを更新する際に、あらかじめ現在の認証用ディスクを用いて認証を行うことを求めるため、勝手に記憶部１６に格納されているパスワードを書き換えられるようなことはない。
これにより、認証の安全性を確保しつつ、パスワードを書き換えることができる。
【００５５】
実施の形態４．
以上の実施の形態１〜３では、映像情報再生装置１０は、ＤＶＤを再生することを説明した。しかし、本発明の適用対象は、ＤＶＤを再生するものに限られず、任意の映像情報格納媒体に格納された映像情報を再生する装置に適用することができる。
また、映像情報の種類も、ＤＶＤおよびその対応形式に限られるものではなく、任意の種類の映像情報を再生する映像情報再生装置について、本発明を適用することができる。
【００５６】
実施の形態５．
以上の実施の形態１〜４では、記憶部１６は所定の秘密鍵で暗号化されたパスワードを格納していることを説明した。しかし、必ずしも秘密鍵で暗号化されたパスワードとする必要はなく、その他の暗号方式を用いることもできるし、パスワード以外の認証方式を用いることもできる。
【００５７】
即ち、認証用ディスクに格納された第１認証情報と、記憶部１６に格納された第２認証情報とを、何らかの手法をもって対応付けを行うことができれば、認証を行うことができるので、具体的な認証方式や認証情報の形式は、任意のものを用いることができる。
【００５８】
また、ＤＶＤ再生部１３にセット可能な認証用ディスクを用いて認証を行うこととしたが、第２認証情報を格納する媒体は任意のものでよい。
即ち、最終的に映像情報再生装置１０が、第１認証情報と第２認証情報の対応付けが行われたことを確認できるものであれば、任意の認証情報格納媒体を用いることができる。
【００５９】
なお、図３〜図７で説明した各処理フローは、記憶部１６に格納しているパスワードが秘密鍵で暗号化されている場合の１例であり、認証方式が変わればこれらの処理フローも必要に応じて適宜変更してよい。
【００６０】
実施の形態６．
図７は、本発明の実施の形態６に係る画像表示装置３０の機能ブロック図と外観イメージを示すものである。図７（ａ）は機能ブロック図、（ｂ）は外観イメージである。
画像表示装置３０は、映像（画像を含む）を再生して画面表示し、ユーザに視聴画像を提供するものである。
【００６１】
画像表示装置３０は、実施の形態１〜５のいずれかで説明した映像情報再生装置１０と同様の構成（図７の操作パネル１１〜記憶部１６）を備えるとともに、画像表示部３１を備える。なお、図７では、実施の形態１と同様の構成を備えた例を図示した。
【００６２】
画像表示部３１は、例えば液晶ディスプレイ装置などで構成され、映像信号処理部１４より映像信号を受け取り、その映像を画面表示するものである。
図７において、画像表示部３１の下部には、画像表示部３１を支持する台座が備えられており、この台座の内部または表面に操作パネル１１〜記憶部１６が備えられている。
【００６３】
上記の説明では、画像表示部３１は液晶ディスプレイ装置などの自ら画像表示を行うことができるものとしたが、これに限るものではなく、最終的にユーザが画像を視ることができるものであれば、任意の構成を用いることができる。
【００６４】
以上のように、本実施の形態６によれば、画像表示装置３０は、実施の形態１〜５で説明した映像情報再生装置１０と同等の機能を備えることができる。
【００６５】
例えば、ＤＶＤ再生機能を備えたテレビやディスプレイ装置などにおいて、本実施の形態６と同様の構成を適用することにより、これらの装置がＤＶＤを再生するに際して認証を求めるようにすることができる。
一例として、家庭内でのテレビの使用において、ＤＶＤの再生を制限したい場合に、本実施の形態６と同様の構成を適用することにより、認証用ディスクを用いた認証機能が奏効する。
【００６６】
実施の形態７．
図８は、本発明の実施の形態７に係るプロジェクタ４０の機能ブロック図である。
プロジェクタ４０は、映像をスクリーン５０に投射し、ユーザに視聴画像を提供するものである。
プロジェクタ４０は、実施の形態１〜５のいずれかで説明した映像情報再生装置１０と同様の構成（図８の操作パネル１１〜記憶部１６）を備えるとともに、投射部４１を備える。なお、図８では、実施の形態１と同様の構成を備えた例を図示した。
【００６７】
投射部４１は、光源、光変調素子、投射光学系などの映像投射に必要な構成を適宜備え、映像信号処理部１４より映像信号を受け取り、その映像を投射するものである。光変調素子としては、液晶ライトバルブや微小ミラーアレイデバイス等が用いられる。
【００６８】
以上のように、本実施の形態７によれば、プロジェクタ４０は、実施の形態１〜５で説明した映像情報再生装置１０と同等の機能を備えることができる。これにより、映像情報再生装置１０と同等の効果を発揮することができる。
【００６９】
特に、プロジェクタの中には、単に映像を投射するのみならず、ＤＶＤ等の再生機能を備えたものがあり、映像情報再生装置１０と同様の用途で、公共施設などにおいて貸し出される場合もある。
このような場合に、本実施の形態７に係る構成を適用することにより、無許可で任意のＤＶＤを再生されるようなことがなくなり、プロジェクタ４０の使用を適切に管理することができる。
【図面の簡単な説明】
【００７０】
【図１】実施の形態１に係る映像情報再生装置１０の機能ブロック図である。
【図２】認証用ディスクと記憶部１６それぞれに格納されている情報の１例である。
【図３】ＤＶＤを再生することを許可する際の処理フロー例である。
【図４】映像情報再生装置１０がＤＶＤを再生する際の処理フロー例である。
【図５】実施の形態２におけるＤＶＤ再生処理フロー例である。
【図６】記憶部１６に格納されているパスワードを書き換える処理フロー例である。
【図７】実施の形態６に係る画像表示装置３０の機能ブロック図である。
【図８】実施の形態７に係るプロジェクタ４０の機能ブロック図である。
【符号の説明】
【００７１】
１０  映像情報再生装置、１１  操作パネル、１２  操作信号処理部、１３  ＤＶＤ再生部、１４  映像信号処理部、１５  制御部、１６  記憶部、２０  ディスプレイ、３０  画像表示装置、３１  画像表示部、４０  プロジェクタ、４１  投射部、５０  スクリーン。
【図１】
2009118078.tif 000003
【図２】
2009118078.tif 000004
【図３】
2009118078.tif 000005
【図４】
2009118078.tif 000006
【図５】
2009118078.tif 000007
【図６】
2009118078.tif 000008
【図７】
2009118078.tif 000009
【図８】
2009118078.tif 000010